(57)【要約】  【課題】床面に植生されたシバ等の低木草類の植物が頻繁な車の出入りに耐えて育成される駐車場床構造を提供しようとする。  【解決手段】透水層と、その上面に積層されたブロック層とを含み、該ブロック層が、上下に貫通する貫通孔が形成された成形体からなるブロックを含むブロック群が敷き詰められてなり、前記貫通孔に植物が植生される培土が充填された駐車場床構造であり、また、透水層と、その上面に積層されたブロック層とを含み、該ブロック層が、上下方向の溝が形成された成形体からなるブロックを含むブロック群が敷き詰められてなり、前記成形体の該溝の内壁面と、該成形体に隣接のブロックの外壁面とで囲まれた空間に、植物が植生される培土が充填された駐車場床構造である。  【選択図】  図１
2008088717.tif 000002
【特許請求の範囲】
【請求項１】
透水層と、該透水層の上面に積層されたブロック層とを含み、該ブロック層が、上下に貫通する貫通孔が形成された成形体からなるブロックを含むブロック群が敷き詰められてなり、前記貫通孔に植物が植生されることとなる培土が充填された駐車場床構造。
【請求項２】
透水層と、該透水層の上面に積層されたブロック層とを含み、該ブロック層が、上下方向の溝が形成された成形体からなるブロックを含むブロック群が敷き詰められてなり、前記成形体の該溝の内壁面と、該成形体に隣接のブロックの外壁面とで囲まれた空間に、植物が植生されることとなる培土が充填された駐車場床構造。
【請求項３】
前記成形体が複数の要素基体を組み合わせてなる請求項１または２に記載の駐車場床構造。
【請求項４】
前記成形体がコンクリートの粉砕物を５０重量％以上含む骨材がセメントで結合されてなる請求項１−３のいずれかに記載の駐車場床構造。
【請求項５】
前記骨材が前記コンクリートの粉砕物１００重量部に対して５〜５０重量部の汚泥固化体の粉砕物を含み、
該汚泥固化体が建設汚泥を固化剤及び混和剤を添加混合して硬化させたのち解砕したものである請求項４に記載の駐車場床構造。
【請求項６】
前記培土が
まさ土、サバ土から選択される１種以上の土  ２５〜４０容量％
パーライト    １５〜４０容量％
堆肥性肥料    ２５〜４５容量％
ぼら土、鹿沼土から選択される１種以上の土  １０〜２５容量％
を含んでなる培土−１、
まさ土、サバ土から選択される１種以上の土  ２５〜４０容量％
パーライト    ３０〜４５容量％
堆肥性肥料    ２５〜４５容量％
を含んでなる培土−２、
から選択される基本培土と、
前記基本培土１０００リットルに対して０．５〜３０ｋｇの肥料とを含み、
前記堆肥性肥料が、針葉樹の樹皮から得られるバーク堆肥、樹木の葉から得られる堆肥と粒子状の木に粘土をまぶして焼成したセラミック・炭複合物との混合物、から選択され、
前記肥料が、化学肥料、天然物由来肥料から選択された、
請求項１−５のいずれかに記載の駐車場床構造。
【請求項７】
前記培土が
まさ土、サバ土から選択される１種以上の土    ３０〜５０容量％
パーライト    １０〜２０容量％
樹木の葉から得られる堆肥３０〜４０容量％
粒子状の木に粘土をまぶして焼成したセラミック・炭複合物    １〜５容量％
炭粉          ５〜１０容量％
遅効性有機肥料    ０．１〜１容量％
を含んでなる請求項１−５のいずれかに記載の駐車場床構造。
【請求項８】
前記透水層が砂状物の層を含む請求項１−７のいずれかに記載の駐車場床構造。
【請求項９】
前記透水層の下側に石塊状物の集合体を主体とする層が敷設され、該石塊状物が、建設汚泥を固化剤及び混和剤を添加混合して硬化させたさせたのち解砕した汚泥固化体を含む、請求項１−８のいずれかに記載の駐車場床構造。
【請求項１０】
前記培土に給水する給水手段が前記ブロック層の下側に設けられた請求項１−９のいずれかに記載の駐車場床構造。
【発明の詳細な説明】
【技術分野】
【０００１】
本発明は、駐車場床構造に関する。
【背景技術】
【０００２】
屋外や屋上に設けられた駐車場の床は、コンクリートやアスファルトのものが大半であり、ヒートアイランド現象の主要な発生源のひとつである。
【０００３】
この床の上面に芝などの植物を植生させてヒートアイランド現象を緩和させることが考えられるが、駐車場の床を土の層にして植物を植生させたとしても、頻繁な車の出入りにより植物が踏み潰されて育成せず、対策として機能しなかった。
【０００４】
また、地面にブロックを互いに間隔をあけて敷設し、その間隔（目地）に土を入れ、その土に芝を植生することも開示されている（例えば、特許文献１参照）が、頻繁な車の出入りによりブロックが移動して不安定である。さらに、停車時のハンドル操作（地切りハンドル操作）によるタイヤの鉛直方向を軸とする回転によりブロックに力が作用しブロックがその力で水平面内で回転し目地の土を押して移動しやすい。また、このような態様において、目地間隔を保つスペーサを用いることが開示されている（例えば、特許文献２参照）が、これとて頻繁な車の出入りが長期わたるとブロックやスペーサが移動する現象が避けられず、このハンドル操作によるタイヤの回転によるブロックやスペーサの回転移動も避けられない。
【０００５】
一方、植物を植生させる床としては透水性とともに保水性が必要である。このため、舗装ブロックの下部に人工的な水溜りを設ける（例えば、特許文献３参照）ことが開示されているが、このようなブロックは植生用の培土を保持せず植物の育成には不適である。
【０００６】
また、保水性機能を有する舗装体としては、このほかに、空隙率が１０〜４０％で、空隙部分に最大吸水率３０〜８０％の保水性注入材を含み、この保水性注入材の組成が、セメント系結合材１００質量部、保水性材料５〜６０質量部及び水６０〜２００質量部からなる混練物であるものが開示されている（例えば、特許文献４参照）。しかし、この舗装体も植生用の培土を保持せず植物の育成には不適である。
【特許文献１】特開２００６−４５８４３号公報
【特許文献２】特開２００６−９４８０号公報
【特許文献３】特開平８−８５９０７号公報
【特許文献４】特開２００５−４８４０３号公報
【発明の開示】
【発明が解決しようとする課題】
【０００７】
本発明の目的は、床面に植生されたシバ等の低木草類の植物が頻繁な車の出入りに耐えて育成される駐車場床構造を提供しようとすることである。
【課題を解決するための手段】
【０００８】
本発明の要旨とするところは、透水層と、該透水層の上面に積層されたブロック層とを含み、該ブロック層が、上下に貫通する貫通孔が形成された成形体からなるブロックを含むブロック群が敷き詰められてなり、前記貫通孔に植物が植生されることとなる培土が充填された駐車場床構造であることにある。
【０００９】
また、本発明の要旨とするところは、透水層と、該透水層の上面に積層されたブロック層とを含み、該ブロック層が、上下方向の溝が形成された成形体からなるブロックを含むブロック群が敷き詰められてなり、前記成形体の該溝の内壁面と、該成形体に隣接のブロックの外壁面とで囲まれた空間に、植物が植生されることとなる培土が充填された駐車場床構造であることにある。
【００１０】
前記成形体は、複数の要素基体を組み合わせてなり得る。
【００１１】
前記駐車場床構造においては、前記成形体がコンクリートの粉砕物を５０重量％以上含む骨材がセメントで結合されてなり得る。
【００１２】
前記骨材は、前記コンクリートの粉砕物１００重量部に対して５〜５０重量部の汚泥固化体の粉砕物を含み得、該汚泥固化体が建設汚泥を固化剤及び混和剤を添加混合して硬化させたのち解砕したものであり得る。
【００１３】
前記駐車場床構造においては、前記培土が
まさ土、サバ土から選択される１種以上の土  ２５〜４０容量％
パーライト    １５〜４０容量％
堆肥性肥料    ２５〜４５容量％
ぼら土、鹿沼土から選択される１種以上の土  １０〜２５容量％
を含んでなる培土−１、
まさ土、サバ土から選択される１種以上の土  ２５〜４０容量％
パーライト    ３０〜４５容量％
堆肥性肥料    ２５〜４５容量％
を含んでなる培土−２、
から選択される基本培土と、
前記基本培土１０００リットルに対して０．５〜３０ｋｇの肥料とを含み得、
前記堆肥性肥料が、針葉樹の樹皮から得られるバーク堆肥、樹木の葉から得られる堆肥と粒子状の木に粘土をまぶして焼成したセラミック・炭複合物との混合物、から選択され得、
前記肥料が、化学肥料、天然物由来肥料から選択され得る。
【００１４】
さらに、前記駐車場床構造においては、前記培土が
まさ土、サバ土から選択される１種以上の土    ３０〜５０容量％
パーライト    １０〜２０容量％
樹木の葉から得られる堆肥３０〜４０容量％
粒子状の木に粘土をまぶして焼成したセラミック・炭複合物    １〜５容量％
炭粉          ５〜１０容量％
遅効性有機肥料    ０．１〜１容量％
を含んでなり得る。
【００１５】
前記透水層は砂状物の層を含み得る。
【００１６】
前記駐車場床構造においては、前記透水層の下側に石塊状物の集合体を主体とする層が敷設され得、該石塊状物が、建設汚泥を固化剤及び混和剤を添加混合して硬化させたさせたのち解砕した汚泥固化体を含み得る。
【００１７】
前記駐車場床構造においては、前記培土に給水する給水手段が前記ブロック層の下側に設けられ得る。
【発明の効果】
【００１８】
本発明によると、床面に植生されたシバ等の低木草類の植物が頻繁な車の出入りに耐えて育成される駐車場床構造が提供される。
【発明を実施するための最良の形態】
【００１９】
本発明の実施態様を説明する。図1に本発明の駐車場床構造に用いられる成形体４の形状を示す。成形体４は外形状が立方体あるいは直方体のブロックからなり、上下に貫通する貫通孔８が形成されている。貫通孔８の断面形状や数はとくには限定されないが、図1に示すように、成形体４が上面視田の字状に見えるように形成されていることが、１個の成形体４あたりの貫通孔８の開口面積の総和を大きくし、かつ成形体４の側壁１０や内部壁１２の強度を大きくするうえで、さらに加えて敷設後の美観のうえで好ましい。
【００２０】
図２に、成形体４が敷設されてなる駐車場床構造２を示す。駐車場床構造２は透水層１６と、透水層１６の上面に積層されたブロック層６とを含む。ブロック層６は、成形体４からなるブロックを含むブロック群が敷き詰められてなる。成形体４は、透水層１６の上面に隣設の成形体４同士が実質的に面接して格子状に敷き詰められて、貫通孔８には植物２０が植生されることとなる培土１８が充填されている。
【００２１】
透水層１６の材質は透水性を有して透水層１６が成形体４を支承するものであればとくには限定されないが、砂、砂状物、多孔質の樹脂からなる板状体、繊維集合体シートなどが例示される。また、保水性を有するものであることがさらに好ましい。透水層１６の厚さは１０〜５０ｍｍであることが好ましい。２０〜３０ｍｍであることがさらに好ましい。
【００２２】
透水層１６として、汚泥固化体の粉砕物を層状に敷設したものを用いることが、駐車場床構造の保水性と透水性を良好にするうえで最も好ましい。汚泥固化体の粉砕物は砂と混合されて用いられてもよい。
【００２３】
さらに、本発明の駐車場床構造においては、透水層１６の下側に図２（ｃ）に示すように石塊状物４２の層４０が設けられてることが、駐車場床構造の保水性と透水性を良好にするうえでさらに好ましい。石塊状物４２は河砂利等の天然石であってもよいが、砕石であることが好ましい。石塊状物４２の径は１０〜６０ｍｍが好ましい。石塊状物４２は汚泥固化体を解砕した砕石状物であることが保水性と透水性を良好にするうえで最も好ましい。このような石塊状物４２としては、例えば、大幸工業株式会社製  商品名；ポリナイト；Ｃ−２０（粒径：２０ｍｍアンダー）、Ｃ−３０（粒径：３０ｍｍアンダー）などが好適に用いられる。石塊状物の層４０の厚さは８０〜１００ｍｍであることが好ましい。石塊状物４２としては、河砂利や砕石と、、汚泥固化体を解砕した砕石状物とが混合されたものであってもよい。
【００２４】
本発明の他の態様の一例においては、図３に示すように、成形体４が中実のブロック２２と混在して敷設されてもよい。
【００２５】
また、本発明のさらに他の態様の駐車場床構造２ａにおいては、図４に示すように、成形体が、上下方向の溝３０が形成された成形体４ａであってもよい。この場合は、成形体４ａからなるブロック同士が接して敷き詰められたときに、成形体４ａの溝３０の内壁面３２と、成形体４ａに隣接の成形体４ａからなるブロックの外壁面３４とで囲まれた孔空間３６に、植物が植生されることとなる培土が充填される。
【００２６】
本発明に用いられる成形体の上面には、図５に示すように、貫通孔８（あるいは孔空間３６）の上縁１１と成形体（４）の外周上縁９との間にわたって浅溝１３が形成されている態様が好ましい。浅溝１３は隣り合う貫通孔８（あるいは孔空間３６）の上縁１１の間にわたっても形成されていることが好ましい。浅溝１３は導水路となって貫通孔８（あるいは孔空間３６）に充填されている培土の表面の水はけを良好にする。
【００２７】
図６に示す駐車場床構造２ｂに用いられて敷き詰められている成形体４ｂのように、外周面が凹凸４７を有してもよい。互いに隣接の成形体について、一方の成形体の凹部に、その成形体に隣接の他方の成形体の凸部を食い込ませるようにして、成形体同士が面接触することにより、敷設構造が安定し、ハンドルの地切りに対しても、タイヤによるブロックの移動を防止する効果がさらに高まる。
【００２８】
本発明のまたさらに他の態様においては、図７に示すように、成形体４ｃが複数個の要素基体（例えば、要素基体５ａ、要素基体５ｂ、要素基体５ｃ、）を組み合わせてなるものであってもよい。
【００２９】
成形体が複数個の要素基体を組合されてなる場合、その複数個の要素基体のなかに、互いに形状が異なるものあるいは互いに形状が同じものが含まれていてもよい。
【００３０】
本発明の駐車場床構造のこれらの構成においては、成形体が、隣りあった成形体同士が隙間無く配置されるように、床面に敷設されているので、敷設面の上を車が頻繁に往行してもブロックが水平方向に移動することがほとんどない。また、停車時のハンドル操作によるタイヤの鉛直方向を軸とする回転による力がそのタイヤを支える成形体に作用しても、その成形体がその力で水平面内で回転し移動するということがほとんどない。
【００３１】
貫通孔８や孔空間３６の開口のサイズは、駐車する自動車のタイヤの接地部全体が開口周縁に囲まれた領域の内側に収まるサイズ未満のサイズでなければならない。好ましくは、縱横とも５〜１５ｃｍである。この開口のサイズがこの範囲を超えて小さくなると緑化という目的に対しては不十分であり、この開口のサイズがこの範囲を超えて大きくなると培土１８に植生された植物が駐車時にタイヤにかかる荷重全体をほぼ受けることになり、植物がタイヤに踏み潰されて育ちにくい。また、植物がタイヤに踏み潰されて育ちにくい点を回避するためには、この開口の形状は一方の幅が１５ｃｍ以下で、この幅方向と直交する方向の幅（他方の幅）が一方の幅より大きい帯形状であってもよい。この場合、その一方の幅は５ｃｍ以上であることが緑化という目的に対して好ましい。ただし、この場合、他方の幅は１００ｃｍ以下であることが好ましい。他方の幅がこの範囲を超えて大きくなると成形体のサイズが大きくなり製造や施工の操作がやりにくくなる。また、成形体の壁が長くなって成形体が曲げの力により破壊されやすくなる。
【００３２】
成形体（成形体４、成形体４ａ、成形体４ｂ、成形体４ｃなど）は保水性を有する素材からなることが培土１８への持続的な水分補給の効果があり、植物の育成のうえで好ましい。とくには、コンクリートを破砕・粉砕して得られるコンクリートの粉砕物である再生砂を５０重量％以上含む骨材がセメントで結合されてなる成形体であることが培土１８への持続的な水分補給の効果と成形体の強度を確保するうえで好ましい。
【００３３】
再生砂には硬化したモルタル成分が大略２０重量％ほど含まれており、このモルタル成分は気泡を含有しており、これにより、再生砂の粒子が多孔質となっているので、再生砂の粒子をセメントで結着して成形してなる成形体は保水性に優れ、本発明の好適に用いられる。
【００３４】
再生砂の粒子径はふるい目の開き５ｍｍアンダーであることが好ましい。なお、再生砂の製造においては、この成形前にコンクリートの粉砕物を水洗して粉砕物中のアルカリ成分を除去することが好ましい。
【００３５】
成形体の製造においては、骨材として再生砂１００重量部に対して５〜５０重量部の汚泥固化体の粉砕物が加えられて用いられることが、成形体の保水性を高め培土１８への持続的な水分補給をするうえでさらに好ましい。この汚泥固化体は建設汚泥を固化剤及び混和剤を添加混合して硬化させたのち解砕したものである。建設汚泥とは、廃ベントナイト泥水、泥水シールド工法などで生じる廃泥水、地下鉄工事等において掘削される含水率が高く粒子の微細な泥状の掘削土等である。
【００３６】
汚泥固化体の粉砕物の添加量がこの範囲を超えて小さくなると成形体の保水性をこの添加によりさらに高める効果がほとんど得られない。汚泥固化体の粉砕物の添加量がこの範囲を超えて大きくなると成形体の強度が本発明の駐車場床構造における舗装面に敷設する敷設物としては不十分となる。
【００３７】
この汚泥固化体は脱水した建設汚泥を、セメントを主成分とする固化剤、水溶性ポリマーないしは油性エマルジョン型ポリマーの薬剤からなる分散剤、結合剤等の混和剤を混合して混合土となし、この混合土を圧力下で脱余剰水および脱気泡を行って塊体を形成し、塊体を養生後に解砕して得られるものであり、例えば、特許第００１８１３号公報に記載の方法により製造することができる。
【００３８】
また、本発明においては、貫通孔８あるいは孔空間３６に充填する培土１８も透水性と保水性に優れることが好ましい。
この培土としては、
まさ土、サバ土から選択される１種以上の土  ２５〜４０容量％
パーライト    １５〜４０容量％
堆肥性肥料    ２５〜４５容量％
ぼら土、鹿沼土から選択される１種以上の土  １０〜２５容量％
を含んでなる培土−１、
まさ土、サバ土から選択される１種以上の土  ２５〜４０容量％
パーライト    ３０〜４５容量％
堆肥性肥料    ２５〜４５容量％
を含んでなる培土−２、
から選択される基本培土と、
この基本培土１０００リットルに対して０．５〜３０ｋｇの肥料とからなる用土を主成分とし、
この堆肥性肥料が、針葉樹の樹皮から得られるバーク堆肥、樹木の葉から得られる堆肥と粒子状の木に粘土をまぶして焼成したセラミック・炭複合物との混合物、から選択され、
前記肥料が、化学肥料、天然物由来肥料から選択されたものであることが、透水性と保水性を兼ね備え、培土１８に植生された植物の育成のうえで好ましい。
【００３９】
さらに、本発明において用いられる培土１８としては
まさ土、サバ土から選択される１種以上の土    ３０〜５０容量％
パーライト    １０〜２０容量％
樹木の葉から得られる堆肥３０〜４０容量％
粒子状の木に粘土をまぶして焼成したセラミック・炭複合物    １〜５容量％
炭粉          ５〜１０容量％
遅効性有機肥料    ０．１〜１容量％
からなる用土を主成分とするものであることが、培土１８に植生された植物の根付きと育成のうえで最も好ましい。
遅効性有機肥料は、マグカリン（商品名）などの、有機物由来の肥料の粒子を土中の物質により分解あるいは溶解される樹脂被膜で被覆した肥料である。
【００４０】
また、このような配合の培土は、比重が０．７〜１．３と小さく、駐車場床構造を軽量化することができ、本発明の駐車場床構造が建造物の屋上に設置される場合は、このような配合の培土を用いることがとくに好ましい。
【００４１】
天然物由来肥料としては、カキガラ、ミネラル成分、有機カリ、ゼオライト、魚粉、貝化石などの天然物や天然物由来の成分を含有するものや有機肥料成分を含有するものから選択される複数種が配合されたものであることが好ましい。
【００４２】
本発明の駐車場床構造において、培土１８に植生する低木草類の植物としてはとくに限定されないが、例えば、タマリュウ、シバ、コーライシバ、ノシバ、改良ノシバなどが好適に用いられる。
【００４３】
また、本発明の駐車場床構造においては、エンジンからの熱によって駐車時のエンジン直下に当たる領域の植物が枯れやすい傾向にある。この対策としてその領域の部分の培土に水を頻繁に供給し、その水による水冷効果やその水の蒸発による冷却効果によりその領域の部分の培土及び植物の温度の上昇を防ぐことが有効である。このためには、培土に給水する給水手段がブロック層の下側に設けられることが好ましい。給水手段がブロック層の下側に設けられることにより、ブロック層を構成する本発明に用いる成形体を常時保水状態に維持することが効率的になされ、植物の枯れを確実に防止できる。
【００４４】
図８にこの給水手段の一例を示す。図８において、駐車場床構造２の透水層１６に水平方向に延出する潅水用パイプ６０が埋設されている。潅水用パイプ６０は樹脂あるいは金属製のパイプであることが好ましく、壁面に図９（ａ）に示すような水を排出するための孔６２が形成されている。あるいは、図９（ｂ）に示すように、孔６２に、元圧にかかわらず孔６２からの吐出流量を一定にする流量制御弁６３が取り付けられていることが好ましい。孔６２は潅水用パイプ６０の長手方向に沿った所定の間隔で設けられている。潅水用パイプ６０としては、例えば、住化農業資材社製：商品名スミラムなどが好適に用いられる。
【００４５】
図１０に潅水用パイプ６０の敷設の態様を示す。潅水用パイプ６０は各台ごとの駐車域６４に、駐車状態の車６５の幅方向に関する中央部の位置に駐車状態の車の前後方向に延出して敷設される。符号６７は各台ごとの駐車域６４の境界である。
ブロック層６の潅水用パイプ６０の上方に当たる領域は、エンジンからの熱によって駐車時に温度が上昇する領域である。駐車域６４ごとに配された潅水用パイプ６０はそれぞれ共通のメイン給水管６６から枝分かれするようにメイン給水管６６に接続される。
【００４６】
図１１に、圧力水源７０から開閉弁７２やメイン給水管６６を介して潅水用パイプ６０に通水する通水経路を示す。メイン給水管６６に設置された開閉弁７２の開閉はタイマーを内蔵した弁制御回路置７４により制御され、所定の時間帯に開状態となるように制御される。図８〜図１１に示す態様においては、潅水用パイプ６０、メイン給水管６６、圧力水源７０、開閉弁７２、弁制御回路７４で給水手段８０が構成される。メイン給水管６６には給水ポンプから水が供給されてもよい。
【実施例】
【００４７】
図２に示す構成の駐車場床構造を、成形体、培土、透水層、石塊状物の層の材質の種類を変えた表１に示すケースにつき製作し商店の屋外駐車場に設置した。
【００４８】
【表１】
2008088717.tif 000003
【００４９】
成形体
図１に示す形状のものを用いた。成形体の寸法（ｃｍ）は、ａ＝１０、ｂ１＝ｂ２＝３５、ｃ＝５、ｄ１＝ｄ２＝１０である。
Ａ：コンクリート砂利（Ｃ−２５）７０重量％、セメント成分２９重量％混和剤１重量％の素材からなる（曲げ強度４．７ＭＰａ、吸水率２．０％）
Ｂ：再生砂（粒径：５ｍｍアンダー）９５重量部、セメント２５重量部、砕石２０重量部、水１０重量部、混和剤１重量部からなる固形物前駆体を固化させてなる成形体。（曲げ強度４．５ＭＰａ、吸水率１０．３％）
Ｃ：再生砂（粒径：６ｍｍアンダー）５０重量部、汚泥固化体を解砕した砕石状物（大幸工業株式会社製  商品名；ポリナイト；Ｃ−６（粒径：６ｍｍアンダー））２０重量部、セメント重量部、混和剤１重量部と、このセメントに対して３０重量％の水からなる固形物前駆体を固化させてなる成形体。（曲げ強度４．０ＭＰａ、吸水率２６．７％）
培土
１：山砂
２：  まさ土３０容量％
パーライト    ２０容量％
針葉樹の樹皮から得られるバーク堆肥    ３０容量％
ぼら土２０容量％
からなる基本培土１０００リットルに対して３ｋｇの配合比で化学肥料を混合したもの
３：  まさ土２０容量％、サバ土２０容量％
パーライト    ２５容量％
樹木の葉から得られる堆肥と粒子状の木に粘土をまぶして焼成したセラミック・炭複合物とを１：１の容量比で混合したもの    ２５容量％
汚泥固化体を解砕した砕石状物（大幸工業株式会社製  商品名；ポリナイト；Ｃ−６）１０容量％
からなる基本培土１０００リットルに対して５ｋｇの配合比で天然物由来肥料を混合したもの。
（天然物由来肥料の配合（重量％）；カキガラ：５０％、ミネラル分（商品名：長寿）５％、有機加里ペレット５％、ゼオライト１５％、魚粕（商品名：ベテラン）、５％、ランドパック５％、グアノ５％、貝化石１０％）
４．まさ土    ４０容量％
パーライト    １５容量％
樹木の葉から得られる堆肥３５容量％
粒子状の木に粘土をまぶして焼成したセラミック・炭複合物    ３容量％
炭粉          ６．７容量％
遅効性有機肥料（商品名マグカリン）    ０．３容量％
透水層（厚さ２０ｍｍ）
イ．山砂
ロ．山砂５０重量％、汚泥固化体を解砕した砕石状物（大幸工業株式会社製  商品名；ポリナイト；Ｃ−６）５０重量％、
ハ，汚泥固化体を解砕した砕石状物（大幸工業株式会社製  商品名；ポリナイト；Ｃ−２０）
石塊状物の層（厚さ８０ｍｍ）
ａ．：砕石（Ｃ−４０）
ｂ．：汚泥固化体を解砕した砕石状物（大幸工業株式会社製  商品名；ポリナイト；Ｃ−２０）
【００５０】
表１に示す各実施例のケースにつき、培土にはタマリュウを植生し、半年間の育成状況を観察した。育成時、１週間ごとに水やりを行った。表１にタマリュウの育成状況を示す。
【００５１】
その他、本発明は、主旨を逸脱しない範囲で当業者の知識に基づき種々なる改良、修正、変更を加えた態様で実施できるものである。
【図面の簡単な説明】
【００５２】
【図１】本発明の駐車場床構造に用いられる成形体の形状の一例を示す斜視図である。
【図２】本発明の駐車場床構造の構成を示し、図２（ａ）は上面図、図２（ｂ）は断面模式図、図２（ｃ）は、図２（ｂ）と異なる態様の断面模式図である。
【図３】本発明の駐車場床構造の他の態様の一例を示す上面図である。
【図４】本発明の駐車場床構造のさらに他の態様の一例を示す上面図である。
【図５】本発明の駐車場床構造に用いられる成形体の形状のさらに他の一例を示す斜視図である。
【図６】本発明の駐車場床構造の他の態様の他の一例を示す上面図である。
【図７】本発明の駐車場床構造に用いられる成形体の形状の他の一例を示す上面図である。
【図８】本発明の駐車場床構造に用いられる給水手段における潅水用パイプの設置状態を示す断面模式図である。
【図９】潅水用パイプの断面図である。
【図１０】潅水用パイプの敷設の態様を示す上面模式図である。
【図１１】本発明の駐車場床構造に用いられる給水手段における通水経路を示す説明図である。
【符号の説明】
【００５３】
２、２ａ、２ｂ：駐車場床構造
４、４ａ、４ｂ、４ｃ：成形体
５ａ、５ｂ、５ｃ：要素基体
８：貫通孔
１４：基盤
１６：透水層
１８：培土
２０：植物
３０：溝
３６：孔空間
４０：石塊状物の層
４２：石塊状物
８０：給水手段
【図１】
2008088717.tif 000004
【図２】
2008088717.tif 000005
【図３】
2008088717.tif 000006
【図４】
2008088717.tif 000007
【図５】
2008088717.tif 000008
【図６】
2008088717.tif 000009
【図７】
2008088717.tif 000010
【図８】
2008088717.tif 000011
【図９】
2008088717.tif 000012
【図１０】
2008088717.tif 000013
【図１１】
2008088717.tif 000014